(57)【要約】      （修正有）【課題】本体と通路構造とを組み合わせることで、ペットに休息と遊び（運動）の場所を与えるとともに、任意に折り畳んで収納しやすいペット用クッションを提供する。【解決手段】ペット用クッションは、本体１１０と、通路構造１２０と、を有し、通路構造は、少なくとも２つの通路本体１２１と、各通路本体の一端に接続され、材質が通路本体の材質と同じである少なくとも１つの通路接続部１２２と、を含み、本体の表面に接続される。【選択図】図１
0003221735.tif 000002
【実用新案登録請求の範囲】
【請求項１】
本体と、
少なくとも２つの通路本体と、各前記少なくとも２つの通路本体の一端に接続され、材質が前記少なくとも２つの通路本体の材質と同じである少なくとも１つの通路接続部と、を含み、前記本体の表面に接続される通路構造と、
を有するペット用クッション。
【請求項２】
各前記通路本体の材質及び前記通路接続部の材質は、それぞれ前記本体に接続されるファブリック材料を含む請求項１に記載のペット用クッション。
【請求項３】
各前記通路本体の材質及び前記通路接続部の材質は、それぞれ前記ファブリック材料に充填される充填材を更に含む請求項２に記載のペット用クッション。
【請求項４】
前記通路構造は、それぞれ各前記少なくとも２つの通路本体の他端に接続される少なくとも２つの支持部を更に含む請求項１に記載のペット用クッション。
【請求項５】
前記本体は、布材を含む請求項２に記載のペット用クッション。
【請求項６】
前記本体の前記ファブリック材料は、各前記通路本体の前記ファブリック材料及び前記通路接続部の前記ファブリック材料と異なる請求項５に記載のペット用クッション。
【請求項７】
前記本体は、前記本体の前記ファブリック材料に充填される充填材を更に含む請求項５に記載のペット用クッション。
【請求項８】
前記本体の別の表面に接続される滑り防止構造を更に含む請求項１に記載のペット用クッション。
【請求項９】
前記少なくとも２つの通路本体の間に夾角を有する請求項１に記載のペット用クッション。
【請求項１０】
前記本体は、長方形又は円形である請求項１に記載のペット用クッション。
【考案の詳細な説明】
【技術分野】
【０００１】
本考案は、ペット用クッションに関し、特に、通路構造を有するペット用クッションに関する。
【背景技術】
【０００２】
現在、一般的に猫や犬をペットとすることが多い。ペットは、休息時には暖かくて柔らかいクッションを必要とし、活力に満ちた時（運動時）には入ったり出たりすることで運動効果を達成するような通路製品（通路構造を有するペット用の遊具）を必要とする。
【考案の概要】
【考案が解決しようとする課題】
【０００３】
一般的に、ペット用のクッションと通路製品は別々の製品であるため、クッションと通路製品を別々に購入する必要があり、また収納も問題となり、２つの物を別々に保管する必要があるだけでなく、一般には、通路製品が例えば、金属、プラスチック等の硬い材料の支持体によって支えられる。そのため、収納する場合、自由に折り畳むことができず、環状支持体の形状に従って折り畳まなければならない。より多くのスペースを占有するだけでなく、収納時に通路製品がより圧迫されて変形しやすい。
【課題を解決するための手段】
【０００４】
本考案の目的は、ペットの休息場所と運動のための通路構造を共に具備するペット用クッションを提供することにある。
【０００５】
本考案によれば、本体（本体部）と、本体に接続される通路構造と、を有するペット用クッションを提供する。通路構造は、少なくとも２つの通路本体（通路部）と、各少なくとも２つの通路本体の一端に接続され、材質が少なくとも２つの通路本体（通路部）の材質と同じである少なくとも１つの通路接続部と、を含む。
【０００６】
前記のペット用クッションによれば、各通路本体の材質及び通路接続部の材質は、それぞれ本体に接続されるファブリック含む。
【０００７】
前記のペット用クッションによれば、各通路本体の材質及び通路接続部の材質は、それぞれファブリック材料に充填される充填材を更に含む。
【０００８】
前記のペット用クッションによれば、通路構造は、それぞれ各少なくとも２つの通路本体の他端に接続される少なくとも２つの支持部を更に含む。
【０００９】
前記のペット用クッションによれば、本体は、布材を含む。
【００１０】
前記のペット用クッションによれば、本体のファブリック材料は、各通路本体のファブリック材料及び通路接続部のファブリック材料と異なる。
【００１１】
前記のペット用クッションによれば、本体は、本体のファブリック材料に充填される充填材を更に含む。
【００１２】
前記のペット用クッションによれば、本体の別の表面に接続される滑り防止構造を更に含む。
【００１３】
前記のペット用クッションによれば、少なくとも２つの通路本体の間に夾角を有する。
【００１４】
前記のペット用クッションによれば、本体（の形状）は、長方形又は円形である。
【図面の簡単な説明】
【００１５】
【図１】本考案の一実施形態によるペット用クッションを示す外観模式図である。
【図２】図１の実施形態によるペット用クッションを示す部分断面図である。
【図３】本考案の別の実施形態によるペット用クッションを示す外観模式図である。
【図４】本考案のまた別の実施形態によるペット用クッションの外観模式図を示す。
【考案を実施するための形態】
【００１６】
以下、図面を参照して本考案の複数の実施例を説明する。下記の記述では、詳細を説明するために、数多くの実際的な細部を合わせて説明する。しかしながら、これらの実際的な細部は、本考案を制限的に解釈するものであってはならない。つまり、本考案の一部の実施例において、これらの実際的な細部は、必要としない。また、図面を簡略化するために、ある従来慣用の構造及び素子は、図面において簡単で模式的に示され、且つ同一の素子は同一の番号で示されることがある。
【００１７】
図１及び図２を参照されたい。図１は、本考案の一実施形態によるペット用クッション１００を示す外観模式図である。図２は、図１の実施形態によるペット用クッション１００を示す部分断面図である。図１及び図２から分かるように、ペット用クッション１００は、本体１１０と、通路構造１２０と、を含む。通路構造１２０が本体１１０の表面に接続される。これにより、ペットの休息の場所と遊び（運動）の場所が得られ、異なる機能を有する多数のペット用品を設置することによるスペースの占用を防止することができる。
【００１８】
図１に示すように、通路構造１２０は、少なくとも２つの通路本体１２１及び少なくとも１つの通路接続部１２２を含む。具体的に、図１の実施形態において、通路本体１２１は２つであり、通路接続部１２２は１つである。通路接続部１２２は、各通路本体１２１の一端に接続され、その材質が通路本体１２１の材質と同じであり、また通路本体１２１に接続されることで通路本体１２１の形を維持することができる。これにより、ペット用クッション１００の製造利便性の向上に寄与し、且つ同じ材質を通路本体１２１及び通路接続部１２２に使用することで、ペットが通路構造１２０を移動する時に、異なる材質により触感が変化して不快になることはない。特に、猫は、狭いスペースを好むため、通路構造１２０を通る時に取り巻かれるように感じられるので、囲まれているような感覚を持たせて、安全に感じさせることができる。注意すべきなのは、通路接続部１２２は、ソーイングによって各通路本体１２１の一端に接続されてよいことである。ソーイングの接続形態によって、支持と固定の効果を強化することができる。
【００１９】
詳しく言えば、各通路本体１２１の材質及び通路接続部１２２の材質は、それぞれファブリック材料１２４と充填材１２５を含んでよい。ファブリック材料１２４が本体１１０に接続され、充填材１２５がファブリック材料１２４に充填される。これにより、ファブリック材料１２４の触感によって、ペットが通路構造１２０を通る時の快適さを向上させ、且つ充填材１２５をファブリック材料１２４に充填することで、ペットが休息時に暖かさと快適さを維持し、且つ通路構造１２０が特定の形状を維持し、折り畳みによって変形しないようにすることができる。
【００２０】
本体１１０は、布材１１２及び充填材１１３を含んでよい。本体１１０の充填材１１３が本体１１０のファブリック材料１１２に充填される。これにより、ファブリック材料１１２によって適切な触感を与え、充填材１１３によってペットに休息時の柔らかいスペースを提供することができる。また、通路本体１２１及び通路接続部１２２のファブリック材料１２４が本体１１０のファブリック材料１１２に接続され、ファブリック材料１２４とファブリック材料１１２が異なるファブリック材料である。これにより、異なるファブリック材料でペット用クッション１００の本体１１０と通路構造１２０とを別々にし、休息と遊びのスペースを区別する。
【００２１】
また、本体１１０のファブリック材料１１２は綿布又はポリエステル繊維であってよく、本体１１０の充填材１１３は綿又はラテックス充填物であってよい。通路本体１２１及び通路接続部１２２のファブリック材料１２４は綿布又はポリエステル繊維であってよく、通路本体１２１及び通路接続部１２２の充填材１２５は綿又はラテックス充填物であってよい。しかしながら、本考案は、これらに限定されない。
【００２２】
また、ペット用クッション１００は、滑り防止構造１１１を更に含んでよい。この滑り防止構造１１１は、ペットが通路構造１２０を通る時にペット用クッション１００の滑りを低減し、ペットのペット用クッション１００の滑りによる怪我の可能性を減少することができる。
【００２３】
通路構造１２０は、それぞれ各少なくとも２つの通路本体１２１の他端に接続される少なくとも２つの支持部１２３を更に含んでよい。具体的に、図１の実施形態において、支持部１２３は２つである。通路構造１２０の通路接続部１２２と支持部１２３によって通路構造１２０に支持性を提供して、ペットが自由に通過可能な通路構造１２０を提供するようにすることができる。且つ硬い材質が用いられる支持体（例えば、金属又はプラスチック等）に比べると、通路接続部１２２と支持部１２３の何れもファブリック材料１２４及び充填材１２５が用いられるため、ペットが通路構造１２０を通過する時に不快感が生じなく、且つ自由に折り畳むことができ、収納にも便利である。
【００２４】
また、通路本体１２１の間に夾角Ａがある。具体的に、通路接続部１２２の接続によって、通路本体１２１の間に角度を持たせ、本体１１０の形に従って配置させることができる。図１の実施形態において、本体１１０の長方形に応じて、通路本体１２１の間に約９０度の夾角Ａを有するが、本考案は、この角度に限定されず、製造中（組み立て時）に本体１１０の形によって通路本体１２１の間の夾角Ａの角度を決めてもよい。
【００２５】
図３を参照されたい。本考案の別の実施形態によるペット用クッション２００を示す外観模式図である。図３から分かるように、ペット用クッション２００は、本体２１０と通路構造２２０を含む。通路構造２２０は、本体２１０の表面に接続される。これにより、ペットの休息と遊びとを同時に達成する。そして、異なる機能を有する多数のペット用品を設置することによるスペースの占用を防止することができる。
【００２６】
図３に示すように、通路構造２２０は、少なくとも２つの通路本体２２１及び少なくとも１つの通路接続部２２２を含む。具体的に、図３実施形態において、通路本体２２１のは２つであり、通路接続部２２２は１つである。通路接続部２２２は、各通路本体２２１の一端に接続され、通路接続部２２２の材質が通路本体２２１の材質と同じである。これにより、ペット用クッション２００の製造利便性の向上に寄与し、且つ同じ材質を通路本体２２１及び通路接続部２２２に使用することで、ペットが通路構造２２０において移動する時に、異なる材質により触感が変化して不快になることはない。特に、猫は、狭いスペースを好むため、通路構造１２０を通る時に取り巻かれるように感じられるので、囲まれているような感覚を持たせて、安全に感じさせることができる。
【００２７】
また、通路本体２２１の材質及び通路接続部２２２の材質は、それぞれファブリック材料（別に図示されない）及び充填材（別に図示されない）を含んでいてもよく、前記の図１及び図２の実施形態のファブリック材料１２４及び充填材１２５は同じであるので、ここで別に説明しない。
【００２８】
本体２１０は、ファブリック材料（別に図示されない）及び充填材（別に図示されない）を含んでよく、前記の図１及び図２の実施形態のファブリック材料１１２及び充填材１１３は同じであるので、ここで別に説明しない。また、通路本体２２１及び通路接続部２２２のファブリック材料は、本体２１０のファブリック材料に接続され、且つ異なるファブリック材料であってよい。これにより、異なるファブリック材料でペット用クッション２００の本体２１０と通路構造２２０を別々にし、休息と遊びのスペースを区別する。
【００２９】
図３の実施形態において、ペット用クッション２００は、滑り防止構造２１１を含んでよい。この滑り防止構造２１１は、ペットが通路構造２２０を通る時にペット用クッション２００の滑りを低減し、ペットのペット用クッション２００の滑りによる怪我の可能性を減少することができる。
【００３０】
図３から分かるように、ペット用クッション２００の通路本体２２１の間に、本体２１０の形に合わせる夾角Ａを有し、詳しく言えば、図３の実施形態において、本体２１０の形は円形であり、通路接続部２２２の接続により、通路本体１２１の間の夾角Ａの角度は円形の本体２１０に合わせて調整することができる。
【００３１】
また、通路構造２２０は、それぞれ各少なくとも２つの通路本体２２１の他端に接続される少なくとも２つの支持部２２３を更に含んでよい。具体的に、図３の実施形態において、支持部２２３は２つである。通路構造２２０の通路接続部２２２と支持部２２３によって通路構造２２０の支持性を提供して、ペットが自由に通過可能な通路構造２２０を提供するようにすることができる。且つ硬い材質を用いる支持体（例えば、金属又はプラスチック等）に比べると、通路接続部２２２と支持部２２３の何れもファブリック材料（別に図示されない）及び充填材（別に図示されない）を用いるため、ペットが通路構造２２０を通過する時に不快感が生じなく、且つ自由に折り畳むことができ、収納にも便利である。
【００３２】
図４を参照されたい。図４は、本考案のまた別の実施形態によるペット用クッション３００を示す外観模式図である。図４から分かるように、ペット用クッション３００は、本体３１０と、通路構造３２０と、を含む。通路構造３２０が本体３１０の表面に接続される。通路構造３２０は、少なくとも２つの通路本体３２１及び少なくとも１つの通路接続部３２２を含む。具体的には、図４の実施形態において、通路本体３２１は２つであり、通路接続部３２２は１つである。通路接続部３２２は、各通路本体３２１の一端に接続され、材質が通路本体３２１の材質と同じである。通路構造３２０は、更に、それぞれ各少なくとも２つの通路本体３２１の他端に接続される少なくとも２つの支持部３２３を含んでよい。具体的には、図４の実施形態において、支持部３２３は２つである。図１、図２及び図３の実施形態と同じであるところについては、詳しく説明しない。
【００３３】
更に、ペット用クッション３００は、滑り防止構造３１１を含んでよい。本体３１０は、前述図１、図２及び図３の実施形態の布材１１２及び充填材１１３と同じである布材（未図示）及び充填材を含んでよい（未図示）ので、ここて別に説明しない。また、通路本体３２１及び通路接続部３２２の布材は、本体３１０の布材に接続され、且つ異なる布材であってよい。
【００３４】
注意すべきなのは、ペット用クッション３００の本体３１０の領域と通路構造３２０の覆う領域とのサイズがほぼ同じであり、本体３１０が通路構造３２０の両端から僅かに突出することである。通路構造３２０から突出した本体３１０の面積もペットを休ませる領域である。
【００３５】
本考案の実施形態を前記の通りに開示したが、これは、本考案を限定するものではなく、当業者なら誰でも、本考案の精神と範囲から逸脱しない限り、多様の変更や修正を加えることができ、したがって、本考案の保護範囲は、後に付いた実用新案登録請求の範囲で指定した内容を基準とする。
【符号の説明】
【００３６】
１００、２００、３００  ペット用クッション
１１０、２１０、３１０  本体
１１１、２１１、３１１  滑り防止構造
１１２、１２４  ファブリック材料
１１３、１２５  充填材
１２０、２２０、３２０  通路構造
１２１、２２１、３２１  通路本体
１２２、２２２、３２２  通路接続部
１２３、２２３、３２３  支持部
Ａ  夾角
【図１】
0003221735.tif 000003
【図２】
0003221735.tif 000004
【図３】
0003221735.tif 000005
【図４】
0003221735.tif 000006